(57)【要約】      （修正有）【課題】マイナスイオン発生機能及び空気清浄機能に加えて、外部メモリーから得られる視覚的及び聴覚的なコンテンツ再生をも加えて爽快感とリラクゼーション効果をも発揮できるマイナスイオン発生器もしくはマイナスイオン発生空気清浄機を提供する。【解決手段】本体ハウジングの正面にはディスプレイ３とスピーカー１４が設けてあり、かつその本体の一部にはＳＤカード１５もしくはＵＳＢフラッシュメモリー１６が接続できる外部メモリー入力部４がある。ハウジング内部にはマイナスイオン発生システム及び高圧発生回路及び外部メモリー再生回路およびそれらを統合管理するシステム回路が収納されている。【選択図】図１
0003193629.tif 000002
【実用新案登録請求の範囲】
【請求項１】
マイナスイオン発生器もしくはマイナスイオン発生空気清浄機において、本体ハウジングの正面にはディスプレイとスピーカーが設けてあり、かつその本体の一部にはＳＤカードもしくはＵＳＢフラッシュメモリーが接続できる外部メモリー入力部があり、なおハウジング内部にはマイナスイオン発生システム及び高圧発生回路及び外部メモリー再生回路およびそれらを統合管理するシステム回路が収納されているもので、マイナスイオン発生機能及び空気清浄機能に加えて、外部メモリーから得られる視覚的及び聴覚的なコンテンツ再生をも加えて爽快感とリラクゼーションを得られるように構成された外部メモリー入力部を有するマイナスイオン発生空気清浄機。
【考案の詳細な説明】
【技術分野】
【０００１】
本考案は、マイナスイオン発生器及びマイナスイオン発生器を有する空気清浄機に関するものである。
【背景技術】
【０００２】
マイナスイオンの効果については、プラスイオンを減じてマイナスイオンを増やし滝の側や森林の中にいるような爽快感を与える、消臭、空気中の雑菌を殺菌するなどが知られている。その認知拡大もあって近年、マイナスイオン発生器及びマイナスイオン発生装置を有する空気清浄機は、空気の質を高めるアメニティ製品としてさまざまな形で普及している。大小の専用タイプはもちろん、エアコンに組み込む、照明器具に内蔵するもの、各種パソコン機器に組み込まれるもの、極めて小さいものではＵＳＢフラッシュメモリーに内蔵されるなど複合的に機能させるものも多くあった。屋内のみならず自動車の中で使えるものもあった。
【０００３】
しかし、プラスイオンを減じてマイナスイオンを増やし滝の側や森林の中にいるような爽快感を与える、消臭、空気中の雑菌を殺菌するなどの効果を有していても、エアコンのように室温の変化で効果をすぐ体感できるというものではなかった。そこで例えば、機器本体にＬＥＤ点燈で示すかあるいは液晶ディスプレイ上にマイナスイオン発生を表示する工夫等がなされてきた。
【考案の開示】
【考案が解決しようとする課題】
【０００４】
従来の技術でも述べたように、プラスイオンを減じてマイナスイオンを増やし滝の側や森林の中にいるような爽快感を与える、消臭、空気中の雑菌を殺菌するなどの効果を有していても、エアコンのように室温の変化で効果をすぐ体感できるというものではなかった。これに対して上述したような方法でマイナスイオンの発生を表示してきたが必ずしもユーザーが十分に感知できたとはいえなかった。この種の製品に共通する長年の課題であった。
【課題を解決するための手段】
【０００５】
本考案は前記した課題を解決するために、マイナスイオン発生機能及び空気清浄機能に加えて、外部メモリーから得られる視覚的及び聴覚的なコンテンツ再生をも加えてイメージ的に滝の側や森林の中にいるような爽快感とリラクゼーション効果をも発揮できるようなアメニティ機器を得る。
【０００６】
マイナスイオン発生器もしくはマイナスイオン発生空気清浄機において、本体ハウジングの正面には液晶ディスプレイとスピーカーが設けてあり、かつその本体の一部にはＳＤカードもしくはＵＳＢフラッシュメモリーが接続できる外部メモリー入力部があり、更には本体側に電源スイッチ及びディスプレイ切替ボタン、消音ボタン、ディスプレイ操作盤が設けられる。マイナスイオン発生空気清浄機においてはハウジングの側面に集塵板のスロットがある。ハウジング内部にはマイナスイオン発生システム及び高圧発生回路及び外部メモリー再生回路およびそれらを統合管理するシステム回路が収納されている。この統合管理システムはリモコンでも運用できる。このマイナスイオン発生器もしくはマイナスイオン発生空気清浄機は、デスクに置く場合には着脱可能なベースがあり、壁にかける場合には壁掛け用フックも備わっている。本体背面は壁にかけられた場合に吸気を阻害しないような空間を得られるようにする。このような観点から外部メモリー入力部も正面もしくは側面に設けるのが望ましい。更に、ディスプレイ操作盤及び電源スイッチなどのボタン類はメンブレンスイッチでもかまわない。液晶ディスプレイは、このマイナスイオン発生器もしくはマイナスイオン発生空気清浄機の大きさにもよるが最低５インチサイズは確保したい。リモコンは赤外線方式でも超音波方式でもかまわない。リモコンの信号受信部はハウジング正面の適宜な位置に設ければよい。
【０００７】
マイナスイオン発生システム及び高圧発生回路及び外部メモリー再生回路およびそれらを統合管理するシステム回路は、電源スイッチによるマイナスイオン発生モード切替、ディスプレイ切替ボタンによるディスプレイ表示選択、消音ボタンによる消音、ディスプレイ操作盤での外部入力コンテンツの選択や各種調整を行う。これらは本体側及びリモコン側の両方で行える。
【０００８】
具体的に本体側の操作で説明すれば、本体側のスイッチを１回押して電源を入れる。この動作で回路全体が立ち上がる。この基本画面ではマイナスイオン発生モードはフルモード（強）となり、ディスプレイはフルモードに連動した初期画面例えば滝の画像が現れ初期サウンドが流れる。消音ボタンを押せば画像だけになる。この本体側スイッチを順次押していくと２回目ではハーフモード（弱）になりディスプレイ上は例えば青空画面が現れる。３回目では間欠モードにディスプレイ上は例えば浜辺画面が現れる。４回目に押せば電源が切れ、回路全体がＯＦＦとなる。以上の動作はリモコンでも行える。
【０００９】
更に、外部メモリー入力部にはＳＤカード及びＵＳＢフラッシュメモリーが接続できるが、その他のメディアが接続できるようにしてあってもかまわない。例えば、デジタルカメラの画像を表示する場合は単独表示もしくはスライド表示モードが選択可能で、動画も再生可能である。これらの操作は本体側ディスプレイ操作盤の表示に従い行う。
【考案の効果】
【００１０】
本考案は上記のように、マイナスイオン発生機能及び空気清浄機能に加えてディスプレイにはマイナスイオンに関連する画像が現れ、かつスピーカーからもマイナスイオンに関連するサウンドが流れるので、マイナスイオンのみならず優れた複合的空間アメニティとリラクゼーションが演出できるという従来に無い効果が得られる。しかも、好みの映像やサウンドも外部入力によって得られる。
【００１１】
更には、壁にも設置できるのでトイレなどにも設置でき、リラクゼーション効果を高めることができる。
【考案を実施するための最良の形態】
【００１２】
本考案の外部メモリー入力部を有するマイナスイオン発生空気清浄機の実施例形態を図１から図１０に基づき説明する。
【００１３】
図１は本考案の外部メモリー入力部を有するマイナスイオン発生空気清浄機１実施例の斜視図で、別添のリモコン６、ＳＤカード１５、ＵＳＢフラッシュメモリー１６も表示されている。マイナスイオン発生空気清浄機本体２は樹脂製で、ディスプレイ３は液晶でもそのほかの方式でもかまわない。着脱可能なベース５はマイナスイオン発生空気清浄機本体２の底に差し込めるようになっていてかつ回転も可能なようになっている。
【００１４】
図２は本考案の外部メモリー入力部を有するマイナスイオン発生空気清浄機１実施例の斜視図で背面を見せている。背面には壁掛け用フック７があり、吸気用スリット１９も見える。金属製で複数の穴を有する集塵板１０は側面から差込み固定できるようになっている。壁掛け用フック７は別部品でもかまわない。
【００１５】
図３は本考案の外部メモリー入力部を有するマイナスイオン発生空気清浄機１実施例の斜視図で、壁にかけた状態を示している。フック受け部８は金属製で、木ねじで固定する。
【００１６】
図４は本考案の外部メモリー入力部を有するマイナスイオン発生空気清浄機１の選択画面４の表示例である。
【００１７】
図５は本考案の外部メモリー入力部を有するマイナスイオン発生空気清浄機１の作動システムのブロック図である。
【００１８】
図６は本考案の外部メモリー入力部を有するマイナスイオン発生空気清浄機１の基本画面１の表示例である。マイナスイオンモード表示２３は３段階で表示されるが該当するマーク表示が明るくなっている。
【００１９】
図７は本考案の外部メモリー入力部を有するマイナスイオン発生空気清浄機１の基本画面２の表示例である。
【００２０】
図８は本考案の外部メモリー入力部を有するマイナスイオン発生空気清浄機１の基本画面３の表示例である。
【００２１】
図９は本考案の外部メモリー入力部を有するマイナスイオン発生空気清浄機１の正面図で、ディスプレイ３には選択画面４が表示されているのを示す。
【００２２】
図１０は本考案の外部メモリー入力部を有するマイナスイオン発生空気清浄機１の正面図で、ディスプレイ３には選択画面５が表示されているのを示す。選択画面５は外部入力メモリー由来のものである。
【産業上の利用可能性】
【００２３】
本考案は以上のように構成されるので、マイナスイオン発生機能及び空気清浄機能に加えて、外部メモリーから得られる視覚的及び聴覚的なコンテンツ再生をも加えてイメージ的に滝の側や森林の中にいるような爽快感とリラクゼーション効果をも発揮でき、しかも外部入力のデータをデジタルカメラで撮ったものを入れるとデジタルフォトフレームとしても利用できるから、実用的でありデジタル家電の１分野として産業上利用できる。
【図面の簡単な説明】
【００２４】
【図１】請求項１の実施例で正面側の斜視図である。
【図２】請求項１の実施例で背面側の斜視図である。
【図３】請求項１の実施例で壁掛けた場合の斜視図である。
【図４】ディスプレイの選択画面４の表現例である。
【図５】外部メモリー入力部を有するマイナスイオン発生空気清浄機１の作動システムのブロック図である。
【図６】ディスプレイの基本図面１の表現例である。
【図７】ディスプレイの基本図面２の表現例である。
【図８】ディスプレイの基本図面３の表現例である。
【図９】外部メモリー入力部を有するマイナスイオン発生空気清浄機１の正面図で選択画面４のディスプレイ表示。
【図１０】外部メモリー入力部を有するマイナスイオン発生空気清浄機１の正面図で選択画面５のディスプレイ表示。
【符号の説明】
【００２５】
１  外部メモリー入力部を有するマイナスイオン発生空気清浄機
２  マイナスイオン発生空気清浄機本体
３  ディスプレイ
４  外部メモリー入力部
５  着脱可能なベース
６  リモコン
７  壁掛け用フック
８  フック受け部
９  マイナスイオン吹き出し口
１０  集塵板
１１  本体側スイッチ
１２  ディスプレイ切替ボタン
１３  消音ボタン
１４  スピーカー
１５  ＳＤカード
１６  ＵＳＢフラッシュメモリー
１７  本体側ディスプレイ操作盤
１８  電源ケーブル
１９  吸気用スリット
２０  基本画面１
２１  基本画面２
２２  基本画面３
２３  マイナスイオンモード表示
２４  マイナスイオン
２５  選択画面４
２６  壁面
２７  選択画面５
【図１】
0003193629.tif 000003
【図２】
0003193629.tif 000004
【図３】
0003193629.tif 000005
【図４】
0003193629.tif 000006
【図５】
0003193629.tif 000007
【図６】
0003193629.tif 000008
【図７】
0003193629.tif 000009
【図８】
0003193629.tif 000010
【図９】
0003193629.tif 000011
【図１０】
0003193629.tif 000012
【手続補正書】
【提出日】平成26年8月20日(2014.8.20)
【手続補正１】
【補正対象書類名】図面
【補正対象項目名】図１０
【補正方法】変更
【補正の内容】
【図１０】
0003193629.tif 000013
【手続補正２】
【補正対象書類名】実用新案登録請求の範囲
【補正対象項目名】全文
【補正方法】変更
【補正の内容】
【実用新案登録請求の範囲】
【請求項１】
マイナスイオン発生器もしくはマイナスイオン発生空気清浄機において、本体ハウジングの正面にはディスプレイとスピーカーが設けてあり、かつその本体の一部にはＳＤカードもしくはＵＳＢフラッシュメモリーが接続できる外部メモリー入力部があり、なおハウジング内部にはマイナスイオン発生システム及び高圧発生回路及び外部メモリー再生回路およびそれらを統合管理するシステム回路が収納されているもので、マイナスイオン発生機能及び空気清浄機能に加えて、外部メモリーから得られる視覚的及び聴覚的なコンテンツ再生をも加えて爽快感とリラクゼーションを得られるように構成された外部メモリー入力部を有するマイナスイオン発生器もしくはマイナスイオン発生空気清浄機。